(57)【要約】【課題】  窓枠周りのメンテナンスを安全・安心して実施することのできる面格子の落下防止取り付け構造を提供する【解決手段】  建物の外面に廊下、ベランダ等足場となるもののない建物の開口部１に嵌められた窓枠２の外面に取り付けられた面格子４の取り付け構造において、縦枠５の耳６にベース部材７を取り付け、このベース部材）にピン８を介して長孔９を形成した連結棹１０を回転可能に取り付け、上記連結棹１０の長孔９に面格子４の側面に設けたピン１１を摺動可能に嵌め込んだ構成を採用するか、上記連結棹１０に代えてステンレスを材料とするチェーンまたは可撓性ワイヤーでベース部材７のピン８と面格子４の側面に設けたピン１１とを繋いだ攻勢としたものである。【選択図】図１
2012219605.tif 000002
【特許請求の範囲】
【請求項１】
建物の外面に廊下、ベランダ等足場となるもののない建物の開口部（１）に嵌められた窓枠（２）の外面に取り付けられた面格子（４）の取り付け構造において、縦枠（５）の耳（６）にベース部材（７）を取り付け、このベース部材（７）にピン（８）を介して長孔（９）を形成した連結棹（１０）を回転可能に取り付け、上記連結棹（１０）の長孔（９）に面格子（４）の側面に設けたピン（１１）を摺動可能に嵌め込んだことを特徴とする面格子の落下防止取付け構造。
【請求項２】
上記連結棹（１０）に代えてステンレスを材料とするチェーンまたは可撓性ワイヤーでベース部材（７）のピン（８）と面格子（４）の側面に設けたピン（１１）とを繋いだことを特徴とする面格子の落下防止取り付け構造
【請求項３】
上記面格子の落下防止取り付け構造において、面格子（４）の窓枠（２）側に防虫網（１２）を貼り付けたことを特徴とする請求項１または２に記載の面格子の落下防止取り付け構造。
【発明の詳細な説明】
【技術分野】
【０００１】  本発明は窓枠のレールの清掃、窓枠に嵌められた障子のメンテナンス（ガラスの破損、ゴムブッシングの取りと替え等）を行いやすくした面格子取り付け構造に関する。
【背景技術】
【０００２】  建物の外面に廊下・ベランダ等足場となるもののない建物の開口部に障子を嵌めた窓枠が取り付けられ、この窓枠の外面に面格子が取り付けられる。また、この面格子に防虫網が貼り付けられたものも提供されている。【０００３】  こうした面格子が取り付けられた窓枠のレールは外側に向って下向きの段付きになっているため窓枠回りと障子のメンテナンスを困難としている。具体的にはメンテナンスの前段で窓枠から面格子を外さねばならず、足場となるものの無い作業であるから、もし手を滑らせた場合面格子が落下して重大人身事故に繋がる恐れがある。【０００４】
【特許文献１】  特開２００４−３１６０８３
【０００５】  上記特許文献は、窓枠の外側に防虫網を貼り付けた面格子に関するものであるが、上記窓枠回りと障子のメンテナンスに対する配慮がされておらずメンテナンスは極めて困難で危険をともなうものである。
【発明の開示】
【発明が解決しようとする課題】
【０００６】  上記従来技術の問題に鑑み、本発明は窓枠の外側に廊下、ベランダ等足場となるもののない建物の開口部に嵌め込まれた窓枠の外側に面格子を取り付けたものにおいて、窓枠あるいは窓枠に嵌められた障子のメンテナンスを安全・確実に行い得る面格子取り付け構造を提供することを課題とする。
【課題を解決するための手段】
【０００７】  上記課題を解決するためにこの発明は、建物の外面に廊下、ベランダ等足場となるもののない建物の開口部１に嵌められた窓枠２の外面に取り付けられた面格子４の取り付け構造において、縦枠５の耳６にベース部材７を取り付け、このベース部材にピン８を介して長孔９を形成した連結棹１０を回転可能に取り付け、上記連結棹１０の長孔９に面格子４の側面に設けたピン１１を摺動可能に嵌め込んだ構成を採用するか、上記連結棹１０に代えてステンレスを材料とするチェーンまたは可撓性ワイヤーでベース部材７のピン８と面格子４の側面に設けたピン１１とを繋いだ構成としたものである。また、上記面格子の落下防止取り付け構造において、面格子４の窓枠２側に防虫網１２を貼り付けたものとすることもできる。
【発明の効果】
【０００８】  上記の如く構成するこの発明によれば、面格子に設けた固定金具を緩め、面格子４を持ち上げるようにしながら、その下部を外側に押し出すと上記連結棹１０の長孔９に嵌ったピン１１が摺動して、面格子４の下部を外側に思いっきり押し出すことが可能となり、障子１３を窓枠１２から外すことができるようになり、レールの清掃、窓枠回り、障子のガラス破損、ブッシングの取替え等のメンテナンスが安全に安心して行えるようになる。
【発明を実施するための最良の形態】
【０００９】
【実施例１】
【００１０】  次にこの発明の実施例を、図面を参照しながら説明する。建物の開口部１に窓枠２を嵌め込み、障子１３をレール１４に嵌め、窓枠２の外面側に防虫網１２を貼り付けた面格子４をケンドン方式または部不ラケット等により嵌めこみ公知の固定金具３等で固定する。また添付図面では面格子４の中間に目隠しのルーバー１５を開閉可能に設けているが、これは本出願人が従来から実施しているものである。【００１１】  建物の開口部１に嵌め込まれた窓枠２の縦耳６にはステンレス製のベース部材７が専用の圧着工具で固定的に取り付けられる。このベース部材７の縦耳６への取り付け部分は１８０度折り曲げられ、その端縁を反り返らせ縦耳６を受け入れ易くし、この部分が縦耳６に被さり圧着工具で固定される。【００１２】  上記ベース部材７にはピン８が取り付けられており、このピン８を介して連結棹１０が回転可能に繋がれ、この連結棹１０の他方には長孔９が設けられ、この長孔９には面格子４の側面に固定的に取り付けられたピン１１が摺動可能に嵌り合い脱落しないように座金を固定状態で取り付けられている。【００１３】  上記ベース部材７の縦枠５に対する取り付け位置は窓枠２の上端に近いところで適宜設定する。要するに面格子４を外側に押し出すとき、窓枠２に対する面格子４の押し出し動作に支障のないように選定すればよい。【００１４】  なお、面格子４には防虫網１２を取り付ける機構が設けられている。それは、面格子に防虫網１２を敷き述べた状態で防虫網押し込み部材１６を防虫網と共に上記機構の溝１７に押し込むようにしたものである。【００１５】  次に本発明に係る面格子取付け構造の動作について説明する。図１は面格子４が窓枠２に取り付けられた状態を示す。窓枠２の上下のリブにはケンドン方式により面格子が嵌められ金具３で固定されており、縦枠５の耳６にはベース部材７が固定されている。【００１６】  ベース部材７と連結棹１０と面格子４の側面に設けたピンとの連結状態は既に説明したとおりである。【００１７】  図１の状態から固定金具３を緩めて面格子４全体を持ち上げると窓枠から外れて外方向に押し出すことが可能となる。図３は面格子を外方向に押し出しつつある状態を示し、面格子の側面に設けたピン１１は長孔９の上方に位置している。【００１８】  図３の状態で面格子を持ち上げ・押し出す動作を止めると図４に示すように面格子４は外方向に押し出された状態で、且つ、連結棹１０を介してベース部材７により吊り下げられた状態となる。【００１９】  この状態になると障子１３は、外側を窓枠レール１４から一旦外し、その状態を保持して内側の障子を窓枠レール１４から外して屋内に取り込み、次いで外側の障子を屋内に取り込んで窓枠回り、レールの清掃、ガラスの破損、ブッシングの取替え等メンテナンスが安全に安心して実施することができる。【００２０】  上記メンテナンス作業が完了すると上記説明とは逆の手順で障子を窓枠レールに納め、また、面格子も元の状態に戻してメンテナンス作業は完了する。【００２１】  なお、上記連結棹１０に代えてベース部材のピンと面格子側面のピントをステンレスのような耐腐食性に優れた材料のチェーンあるいはケーブルワイヤーで繋ぐこともできる。なお、この場合ピンに代えてフックとすることができる。
【産業上の利用可能性】
【００２２】  以上説明した如くこの発明によれば連結棹やチェン・ケーブルワイヤーを介して窓枠と面格子とを吊り下げ可能に、且つ、外側に押し出した可能にし、さらに面格子を窓枠から外した後は外した面格子を吊り下げ状態にして安全状態を保持しつつ、障子を窓枠から外し、レールの清掃、破損したガラスの取替え、ブッシングの取替えなど窓枠周りのメンテナンスを安全・安心で確実に実施することが可能となり産業上利用価値の高いものである。
【図面の簡単な説明】
【図１】動作説明図（面格子の窓枠取り付け状態）
【図２】動作説明図（面格子持ち上げ状態）
【図３】動作説明図（面格子押し出し状態）
【図４】動作説明図（面格子吊り下げと障子取り出し状態）
【図５】要部縦断面図
【図６】図５のＡ−Ａ断面図
【符号の説明】  １：（建物の）開口部
２：窓枠
３：取付け金具
４：面格子
５：縦枠
６：耳
７：ベース部材
８：ピン（ベース部材側の）
９：長孔
１０：連結棹
１１：ピン（面格子側の）
１２：防虫網
１３：障子
１４：レール
１５：ルーバー
１６：防虫網押し込み部材
１７：溝
【図１】
2012219605.tif 000003
【図２】
2012219605.tif 000004
【図３】
2012219605.tif 000005
【図４】
2012219605.tif 000006
【図５】
2012219605.tif 000007
【図６】
2012219605.tif 000008